(57)【要約】 【課題】長期に亘って安定した流量調整が可能となると共に、優れた安全性を発揮できる新規な着火器の提供。【解決手段】燃料タンク２０内の燃料ガスを抜き出すガス供給路３０に燃料ガスの流量を調整するニードル弁３２を設けると共に、燃料タンク２０内を液状の燃料を保持する液保持室２２と、ガス状の燃料を溜めるガス室２３とに区画し、ガス室２３とガス供給路３０とを連通する。これによって、従来の流量調整フィルターのような経年劣化が少なく、長期に亘って安定した流量調整ができると共に、液保持室２２で保持された液状の燃料が直接ガス供給路３０に流れ込むことが無くなり、優れた安全性を発揮できる。【選択図】図１
2017227357.tif 000002
【特許請求の範囲】
【請求項１】
着火機構を備えた着火器本体に、燃料タンクと、当該燃料タンク内の燃料ガスを抜き出すガス供給路と、当該ガス供給路を介して抜き出された燃料ガスを燃焼させて燃焼炎を発生させる燃焼部とを備えた着火器であって、
前記ガス供給路に、これを通過する燃料ガスの流量を調整するニードル弁を設けると共に、
前記燃料タンク内を、液状の燃料を保持する液保持室と、当該液保持室の液体燃料が気化したガス状の燃料を溜めるガス室とに区画し、当該ガス室と前記ガス供給路とを連通したことを特徴とする着火器。
【請求項２】
請求項１に記載の着火器において、
前記着火器本体に、液状の燃料を注入する燃料注入口を設け、当該燃料注入口と前記燃料タンクの液保持室とを燃料注入管で連通したことを特徴とする着火器。
【請求項３】
請求項２に記載の着火器において、
前記着火器本体に、液状の燃料を排出する燃料排出口を設け、当該燃料排出口と前記燃料タンクの液保持室とを燃料排出管で連通したことを特徴とする着火器。
【請求項４】
請求項３に記載の着火器において、
前記着火器本体に、液状の燃料を注入する燃料注入口を設けると共に、当該燃料注入口を中心としてその周囲を囲繞するように筒状の燃料排出口を設け、当該燃料排出口の縁部にスリット状の燃料排出路を形成したことを特徴とする着火器。
【請求項５】
請求項１乃至４のいずれかに記載の着火器において、
前記液保持室は、液状の燃料との親和性を有する繊維材が充填されていることを特徴とする着火器。
【請求項６】
請求項１乃至５のいずれかに記載の着火器において、
前記ガス室とガス供給路との間を多孔質のフィルターで仕切ったことを特徴とする着火器。
【発明の詳細な説明】
【技術分野】
【０００１】
本発明は、喫煙や着火時に用いる携帯用のガスライターなどの着火器に関するものである。
【背景技術】
【０００２】
従来のガスライターには、炎の大きさや高さなどを適宜調整するためにガスの流量を調整するフィルターが設けられている。この流量調整フィルターは、例えば以下の特許文献１乃至３に示すように発泡ウレタンフォームやフェルト（不織布）などのような多孔質でかつ弾力性に優れた材料からなっており、タンク内の燃料ガスはそのまま通過させると共に、液体燃料の場合はこれをここで気化させてから燃焼部へ供給する働きをなしている。
【０００３】
そして、この流量調整フィルターを備えたガスライターは、この流量調整フィルターに当接する部材をユーザーが螺動させるなどしてこの流量調整フィルター自体を圧縮したり伸張させてその隙間容積を調整することでこれを通過するガスの流量を任意に調整できるような構造となっている。
【先行技術文献】
【特許文献】
【０００４】
【特許文献１】特開平６−２６６４８号公報
【特許文献２】特開平１１−１７３５５２号公報
【特許文献３】特開２０００−２１３７４７号公報
【発明の概要】
【発明が解決しようとする課題】
【０００５】
ところで、この流量調整フィルターは流量調整のために圧縮・伸張変形を何度も繰り返すと次第にその弾性力が無くなって通過するガスの流量が徐々に減ってしまい、やがて十分なガスを通過させることができなくなってしまうことがある。このような場合には、その流量調整フィルターを新しいものに交換する必要があるが、そのためにはライター全体を一旦分解して再度組み立て直す作業が発生してしまい、多くの手間が掛かるという問題がある。
【０００６】
そのため、本発明者らはこのような経年劣化が避けられない従来の流量調整フィルターに代えて、例えば従来からガスレンジなどのガス流量機構に用いられているニードル弁の採用を検討している。ニードル弁であれば金属製のニードルと弁座との隙間を調整するだけでガスの流量を簡単且つ確実に調整できる上に、流量調整フィルターのような経年劣化が殆ど無いため、長期に亘って安定した流量調整が可能となるからである。
【０００７】
しかしながら、このニードル弁をそのまま携帯用のガスライターに適用すると、その使用状況によってはガス状の燃料だけでなく、液状の燃料もそのまま通過して燃焼部において予期せぬ大きな燃焼炎が発生することがあり、安全上の課題がある。
【０００８】
そこで、本発明はこれらの課題を解決するために案出されたものであり、その目的は、長期に亘って安定した流量調整が可能となると共に、優れた安全性を発揮できる新規な着火器を提供するものである。
【課題を解決するための手段】
【０００９】
前記課題を解決するために第１の発明は、着火機構を備えた着火器本体に、燃料タンクと、当該燃料タンク内の燃料ガスを抜き出すガス供給路と、当該ガス供給路を介して抜き出された燃料ガスを燃焼させて燃焼炎を発生させる燃焼部とを備えたガスライターであって、前記ガス供給路に、これを通過する燃料ガスの流量を調整するニードル弁を設けると共に、前記燃料タンク内を、液状の燃料を保持する液保持室と、当該液保持室の液体燃料が気化したガス状の燃料を溜めるガス室とに区画し、当該ガス室と前記ガス供給路とを連通したことを特徴とする着火器である。
【００１０】
このような構成によれば、燃料タンクと燃焼部とを連通するガス供給路にニードル弁を設け、このニードル弁でこのガス供給路を流れる燃料ガスの流量を調整できるため、従来の流量調整フィルターのような経年劣化が少なく、長期に亘って安定した流量調整ができる。さらに、燃料タンク内を、液状の燃料を保持する液保持室と、ガス状の燃料を溜めるガス室とに区画し、このガス室にガス供給路を連通することで液保持室で保持された液状の燃料が直接ガス供給路に流れ込むことが無くなり、優れた安全性を発揮できる。
【００１１】
第２の発明は、第１の発明において、前記着火器本体に、液状の燃料を注入する燃料注入口を設け、当該燃料注入口と前記燃料タンクの液保持室とを燃料注入管で連通したことを特徴とする着火器である。このような構成によれば、ガスボンベの液状の燃料を燃料タンクの液保持室に直接かつ確実に注入することができる。
【００１２】
第３の発明は、第２の発明において、前記着火器本体に、液状の燃料を排出する燃料排出口を設け、当該燃料排出口と前記燃料タンクの液保持室とを燃料排出管で連通したことを特徴とする着火器である。このような構成によれば、燃料注入口から直接注入された液状の燃料によって液保持室が満たされたときには、余剰の液状燃料が燃料排出管を通過して燃料排出口から着火器本体の外部に直接排出される。これによって、余剰の液状燃料がガス室に溜まって直接ガス供給路に流れ込んでしまうようなことを防止できる。
【００１３】
第４の発明は、第３の発明において、前記着火器本体に、液状の燃料を注入する燃料注入口を設けると共に、当該燃料注入口を中心としてその周囲を囲繞するように筒状の燃料排出口を設け、当該燃料排出口の縁部にスリット状の燃料排出路を形成したことを特徴とする着火器である。このような構成によれば、余剰となって出てきた液状の燃料が燃料排出口だけでなく、その縁部に形成されたスリット状の燃料排出路からも排出することができる。これにより、液状の燃料注入時にその燃料排出口が意図的に、あるいは他の理由によって塞がれてしまったときでもこの燃料排出路から余剰燃料が確実に排出できるため、余剰燃料がガス室に溜まってしまうといった事態を回避できる。
【００１４】
第５の発明は、第１乃至第４の発明において、前記液保持室は、液状の燃料との親和性を有する繊維材が充填されていることを特徴とする着火器である。このような構成によれば、液保持室内の液状燃料をその内部に充填された繊維材によってしっかりと保持できるため、液状燃料のガス室への漏れを確実に防止することができる。
【００１５】
第６の発明は、第１乃至第５の発明において、前記ガス室とガス供給路との間を多孔質のフィルターで仕切ったことを特徴とする着火器である。このような構成によれば、仮に液保持室内の液状燃料の一部が漏れ出したとしてもこの多孔質フィルターを通過する際に気化されるため、液状燃料が直接ガス供給路に流れ込むことがない。
【発明の効果】
【００１６】
本発明によれば、燃料タンクと燃焼部とを連通するガス供給路にニードル弁を設け、このニードル弁でこのガス供給路を流れる燃料ガスの流量を調整できるため、従来の流量調整フィルターのような経年劣化が少なく、長期に亘って安定した流量調整ができる。さらに、燃料タンク内を、液状の燃料を保持する液保持室と、ガス状の燃料を溜めるガス室とに区画し、このガス室にガス供給路を連通することで液保持室で保持された液状の燃料が直接ガス供給路に流れ込むことが無くなり、優れた安全性を発揮できる。
【図面の簡単な説明】
【００１７】
【図１】本発明に係る着火器１００の実施の一形態を示す縦断面図である。
【図２】図１中Ａ−Ａ線断面図である。
【図３】図１中Ｓ部を示す拡大図である。
【図４】図３中Ｓ部およびその作用を示す拡大図である。
【図５】本発明に係る着火器１００にガスボンベｂから燃料を注入する状態を示す概念図である。
【図６】本発明に係る着火器１００の燃料排出口２５の構造を示す説明図である。
【図７】従来のガスライターの燃料排出口２５の構造を示す説明図である。
【発明を実施するための形態】
【００１８】
次に、本発明の実施の形態を添付図面を参照しながら説明する。図１乃至図４は本発明に係る着火器１００の実施の一形態を示したものであり、図１はその拡大縦断面図、図２は図１中Ａ−Ａ線断面図、図３は図１中Ｓ部を示す拡大図、図４は図３中Ｓ部およびその作用を示す拡大図である。図示するようにこの着火器１００は、その外形が略円筒状となっており、そのサイズは手のひらやポケットに収まる程度、例えば縦７０〜８０ｍｍ、幅２０〜３０ｍｍ程度のコンパクトな大きさとなっている。
【００１９】
この着火器１００は、硬質プラチックや金属などからなる内部中空の着火器本体１０に、燃料タンク２０と、ガス供給路３０と、燃焼部４０と、着火機構５０を備えた構造となっている。着火器本体１０は、略円筒状に形成されており、その内部には燃料タンク２０が形成されていると共に、その軸心部にはガス供給路３０が設けられている。
【００２０】
燃料タンク２０は、その内部の略中段部を水平に横断するように設けられた仕切り板２１によって液保持室２２と、ガス室２３とに上下に区画されている。仕切り板２１の上方に位置する液保持室２２内には、液状の燃料と親和性を有する繊維材２２ａ、例えば化学繊維や木綿、動物の毛などを集合させたフェルト材（不織布）などが密に充填されており、この繊維材２２ａによって液状燃料（ブタンガスなどを主成分とする可燃性のガスを液化した燃料）を吸収して保持するようになっている。
【００２１】
この仕切り板２１は、図２に示すように断面円形の着火器本体１０に対して角部が丸くなった矩形状となっていて、各四辺と着火器本体１０の内壁との間にそれぞれ数ｍｍ程度の隙間ｓ１，ｓ１，ｓ１，ｓ１が形成されており、この隙間ｓ１，ｓ１，ｓ１，ｓ１を介してその下部に位置するガス室２３と連通している。なお、この仕切り板２１の上段にはさらに同様の形状をした第２の仕切り板２１ａが設けられており、この第２の仕切り板２１ａによって液保持室２２内をさらに上下に連通状態に区画している。
【００２２】
図１に戻り、この仕切り板２１の下方に位置するガス室２３は、基本的には何もない空洞となっているが、仕切り板２１をその底部から持ち上げるようにして加圧支持するためのコイルバネ２３ａと、それぞれ後述する燃料注入管２３ｂ、燃料排出路２３ｃ、フィルター２３ｄとが収容されている。そして、このガス室２３は、図２に示すように断面Ｃ字状の燃料排出路２３ｃを区画形成する部材の開口側２３ｅを介してガス供給路３０と連通している。
【００２３】
燃料注入管２３ｂは、図１に示すようにその下端側がライター本体１０の底部に形成された燃料注入口２４側に接続されていると共に、その上端側がガス室２３を通過して液保持室２２側に臨むように延びており、燃料注入口２４から注入された液状の燃料を液保持室２２内に直接流して供給するようになっている。
【００２４】
燃料排出路２３ｃは、図２に示したように燃料注入管２３ｂを囲むように断面Ｃ字状に形成されている。そして、図１に示すようにその下端側が着火器本体１０の底部に形成された燃料注入口２４を中心としてその周囲に形成された燃料排出口２５側に接続されていると共に、その上端側がガス室２３を通過して液保持室２２内に臨むようにして開口しており、液保持室２２内に供給された余剰の液体燃料を直接燃料排出口２５側に排出するようになっている。
【００２５】
なお、この燃料注入口２４および燃料排出口２５は、従来公知のものと同じ構造となっており、燃料注入口２４を構成する注入管に後述するガスボンベのノズルで挿入して押し込むと内部のバルブ２６が開いて燃料注入口２４および燃料排出口２５が同時に開口し、そのガスボンベのノズルを注入管から離すとコイルバネ２７の付勢力によって内部のバルブ２６が閉じて燃料注入口２４および燃料排出口２５が同時に閉じる構造となっている。
【００２６】
次に、ガス供給路３０は図３に示すように着火器本体１０の軸部に位置する筒状の供給路本体３１と、ニードル弁３２と、吐出ノズル部３３とから構成されている。供給路本体３１は、着火器本体１０と一体の筒状となっており、その下端部は着火器本体１０の軸心部に位置して開口した状態となっている。
【００２７】
ニードル弁３２は、弁ケース３２ａと、弁体３２ｂと、弁座３２ｃとから主に構成されており、このガス供給路３０を通過する燃料ガスの流量を調節している。弁ケース３２ａは金属の筒状体から構成されており、その外周側に形成されたねじ山ｎ１が、供給路本体３１の下端開口部の内側に形成されたねじ溝ｎ２と螺合することで取り付けられるようになっている。そして、この弁ケース３２ａの下端には導入管３２ｅが貫通して設けられており、燃料タンク２０のガス室２３と弁ケース３２ａ内を連通している。
【００２８】
弁体３２ｂは、この弁ケース３２ａ内の底部に載置されるように設けられた円柱状の台座３２ｇと、この台座３２ｇの上端から突出するように位置する針状のニードル３２ｆとからなっている。さらに、この台座３２ｇの底面にはこれを横断するようにスリット３２ｈが形成されており、導入管３２ｅから導入されてきた燃料ガスがこのスリット３２ｈから弁ケース３２ａ内に流れ込むようになっている。また、この台座３２ｇの底部にはフランジ３２ｉが形成されており、このフランジ３２ｉをコイル状の弁体スプリング３２ｊによって押圧することで台座３２ｇがずれたりしないようにその位置に固定するようになっている。
【００２９】
弁座３２ｃは、弁ケース３２ａの同軸上に位置する断面Ｈ形状の筒状体であり、その中央部には、弁体３２ｂのニードル３２ｆが挿入可能な連通孔３２ｋが形成されている。そして、この弁座３２ｃの上端は炎調整レバー３４の連結アーム３４ａと螺合しており、この炎調整レバー３４を着火器本体１０の周方向に動かしてその連結アーム３４ａを回動させることでこの弁座３２ｃを昇降できるようになっている。
【００３０】
吐出ノズル部３３は、この弁座３２ｃ内にこれと同軸状に設けられた管状のノズル本体３３ａと、このノズル本体３３ａの下端に設けられた弁ゴム３３ｂと、このノズル本体３３ａの周囲に位置するノズルスプリング３３ｃとから構成されている。このノズル本体３３ａは、下端が弁座３２ｃ側に位置していると共に上端がその上方に位置する燃焼部４０まで延びている。
【００３１】
そして、このノズル本体３３ａはノズルスプリング３３ｃによって下方に付勢されており、その下端の弁ゴム３３が弁座３２ｃに着座することでその連通孔３２ｋをその上端側から塞ぐように作用すると共に、このノズル本体３３ａの上端側に設けられた突起３３ｄを開閉レバー３５で上昇させることでノズル本体３３ａを上昇させて弁座３２ｃの連通孔３２ｋを開くようになっている。なお、この開閉レバー３５の先端はフォーク状に先割れ状態となっており、その隙間にノズル本体３３ａが差し込まれるように位置している。
【００３２】
従って、このガス供給路３０は、通常時（未使用時）には、図４（Ａ）に示すように弁座３２ｃがノズル本体３３ａによって閉じられた状態となっているため、燃料タンク２０内の燃料ガスが通過することはないが、図４（Ｂ）に示すようにこのノズル本体３３ａを上昇させると、その先端の弁ゴム３３ｂが弁座３２ｃから離れて連通孔３２ｋが開口し、この連通孔３２ｋから燃料ガスがノズル本体３３ａ側に流れ込むようになっている。そして、このノズル本体３３ａの側面には流入孔３３ｄが形成されているため、ノズル本体３３ａ側に流れ込んだ燃料ガスはこの流入孔３３ｄからノズル本体３３ａ内に流れ込み、その内部を通過して上方に位置する燃焼部４０に送られるようになっている。
【００３３】
また、炎調整レバー３４を操作してこの弁座３２ｃを上昇させると、図４（Ｃ）に示すようにその弁体３２ｂのニードル３２ｆと、弁座３２ｃの連通孔３２ｋとの隙間が大きくなってこのガス供給路３０を通過する全体の燃料ガスの量が増大するようになり、反対にこの弁座３２ｃを降下させると、そのニードル３２ｆと連通孔３２ｋとの隙間が小さくなってガス供給路３０を通過する全体の燃料ガスの量が減少するようになっている。なお、図３および図４中、弁座３２ｃの周囲の塗り潰し部分は、弁座３２ｃ周囲からのガス漏れを防止するためのＯリングである。
【００３４】
図１に戻り、燃焼部４０は図示するように着火器本体１０の上端側に設けられた燃焼部本体４１内に、ガス供給路３０と連通する金属製の燃焼筒４２と、円形の燃焼口４３と、燃焼筒４２の近傍に位置する放電電極４４とからなっており、燃焼筒４２から燃焼ガスを吐出すると共に、その燃焼筒４２へ電極４４からアークを発生させることで着火させてその燃焼筒４２上に燃焼炎を発生させるようになっている。なお、この燃焼口４３はヒンジ式のキャップ４５によって開閉自在となっている。
【００３５】
着火機構５０は、着火器本体１０と一体となった着火機構ケーシング５１と、このケーシング５１の上部に設けられた着火操作部５２と、このケーシング５１内に設けられた圧電素子部５３と、この圧電素子部５３と燃焼部４０の放電電極４４とを結ぶリード線５４と、前述したノズル本体３３ａと係合する開閉レバー３５とから構成されている。そして、例えばこの着火器本体１０を右手の四本の指と掌で握った状態でその親指で着火操作部５２を押し下げると、開閉レバー３５の端部が押し下げられてその先端がてこの作用によって上昇してノズル部３３を開いてガスを放出すると共に、圧電素子部５３の圧電素子の電歪効果によりパルス状の高電圧が発生し、これがリード線５４を介して燃焼部４０の放電電極４４に流れて着火用のアークを発生させるようになっている。なお、この燃焼部４０および着火機構５０の各構成は、ガスライターとして従来公知のものをそのまま用いることができる。
【００３６】
このような構成をした本発明に係る着火器１００にあっては、図１に示すように燃料タンク２０の液保持室２２に保持された液体燃料が気化してガス室２３に溜まり、燃料排出路２３ｃの開口側２３ｅを介してガス供給路３０に流れ込み、さらにこのガス供給路３０を通過して燃焼部４０に送られ、ここで燃焼炎となって喫煙のための着火などとして用いられる。
【００３７】
そして、本発明に係る着火器１００は、まずその燃料タンク２０と燃焼部４０とを連通するガス供給路３０にニードル弁３２を設け、このニードル弁３２でこのガス供給路３０を流れる燃料ガスの流量を調整するようにしたため、従来の流量調整フィルターのような経年劣化が少なく、長期に亘って安定した流量調整ができる。
【００３８】
また、本発明に係る着火器１００は、その燃料タンク２０内を、液状の燃料を保持する液保持室２２と、ガス状の燃料を溜めるガス室２３とに区画し、このガス室２３にガス供給路３０を連通することで液保持室２２内の液状の燃料が直接ガス供給路３０に流れ込むことが無くなり、優れた安全性を発揮できる。すなわち、ニードル弁３２は、前述したように従来の流量調整フィルターのように液体をガス化する機能を有していないため、燃料が液体の状態で流れ込んだ場合には、これをそのまま通過してしまい、燃焼部４０から吹き出してしまうことが考えられるが、燃料タンク２０内にガス室２３を区画形成し、このガス室２３とガス供給路３０とを連通することでこのような不都合を確実に回避することができる。
【００３９】
そして、仮に少量の液体燃料がガス室２３側に漏れ出たとしてもその間にはスポンジ状の多孔質フィルター２３ｄが設けられているため、漏れた液状の燃料がこの多孔質フィルター２３ｄを通過する際に気化されるため、その液状燃料が直接ガス供給路３０に流れ込むことはない。
【００４０】
また、本発明に係る着火器１００は、着火器本体１０の底部に形成した燃料注入口２４と燃料タンク２０の液保持室２２とを燃料注入管２３ｂで連通したため、着火器本体１０の底部側に位置するガス室２３を通過することなく、ガスボンベからの液状の燃料を液保持室２２内に直接かつ確実に注入することができる。
【００４１】
また、同じく着火器本体１０の底部に形成した燃料排出口２５と燃料タンク２０の液保持室２２とを燃料排出管２３ｃで連通したため、燃料注入口２４から注入された液状の燃料によって液保持室２２内が満たされたときには、それ以上の余剰の液状燃料はこの燃料排出管２３ｃを通過して燃料排出口２５から着火器本体１０の外部に直接排出される。これによって、余剰の液状燃料がガス室２３に溜まって直接ガス供給路３０に流れ込んでしまうような現象を確実に防止できる。さらに、この燃料排出口２５は、図２に示したように着火器本体１０内の軸心部に位置して断面Ｃ字形に開口しているため、液保持室２２で発生した余剰の液体燃料がどの位置でも均一に流入しやすくなっているため、余剰の液体燃料が発生したときにはこれをスムーズに排出することができる。
【００４２】
ところで、本発明に係る着火器１００を含めた従来のガスライターに燃料を注入するためには、図５（Ａ）に示すように着火器本体１０を天地逆転させ、その底部側に形成された燃料注入口２４を上にしてこれにガスボンベＧのノズルＮを垂直に差し込むことでガスボンベＧ内の液体燃料がそのままの状態で着火器１００の燃料タンク２０内に注入できるようになっている。そして、燃料タンク２０内が液体燃料で満たされると、図５（Ｂ）に示すように余剰の液体燃料がその燃料注入口２４の周囲に形成された燃料排出口２５から吹き出してくるため、ユーザーはその現象が起こった時点で燃料注入が満タンになったことを知ることができる。
【００４３】
従来のガスライターでは安全性などの点から燃料タンク２０内が液体燃料で完全に満たされる前に余剰の燃料が排出されるようにその燃料排出口２５のバルブ２６の作動圧が低く設定されており、必要以上の燃料が注入できないようになっている。しかしながら、注入できる燃料の量が少ないと使用形態によっては燃料の持ちが悪くなり、頻繁に燃料注入操作が必要となってくる。そのため、図５（Ｃ）に示すようにガスボンベＧのノズルＮ先端にゴム製のアダプターＰを取り付け、このアダプターＰを付けた状態で燃料の注入を行うユーザーが散見されている。
【００４４】
すなわち、ガスボンベＧのノズルＮにゴム製のアダプターＰを取り付けた状態で燃料注入を行うと、図７（Ｂ）に示すように燃料注入口２４周囲の燃料排出口２５がこのゴム製のアダプターＰによって塞がれてしまい、その燃料排出口２５のバルブが開いても余剰の燃料がこの燃料排出口２５から排出されなくなってしまってその燃料タンク２０内に物理的に可能な限界量までどんどん燃料が注入されてしまうことがある。そのため、このようなゴム製のアダプターＰを取り付けた状態でガスボンベＢから本発明に係る着火器１００に燃料を注入すると、その燃料タンク２０の液保持室２２だけでなくガス室２３までも液体燃料で満たされてしまうことになる。
【００４５】
そこで、本発明の着火器１００にあっては、図６（Ａ）に示すように、燃料注入口２４の周囲に位置する燃料排出口２５の環状の縁部２５ｂにスリット状の燃料排出路２５ａを少なくとも１つ以上（図では四方４箇所）を形成したものである。このような燃料排出路２５ａを設ければ、同図に示すように余剰となって出てきた液状の燃料が燃料排出口２５だけでなく、この燃料排出路２５ａからも排出できるため、燃料注入時にその燃料排出口２５がゴム製のアダプターＰで塞がれてしまったときでも同図（Ｂ）に示すようにこの燃料排出路２５ａから余剰燃料が確実に排出できるため、液体燃料がガス室にまで溜まってしまうといった事態を回避することができる。
【符号の説明】
【００４６】
１００…着火器
１０…着火器本体
２０…燃料タンク
２２…液保持室
２２ａ…繊維材
２３…ガス室
２３ｂ…燃料注入管
２３ｃ…燃料排出管
２３ｄ…多孔質フィルター
２４…燃料注入口
２５…燃料排出口
２５ａ…燃料排出路
３０…ガス供給路
３２…ニードル弁
４０…燃焼部
５０…着火機構
【図１】
2017227357.tif 000003
【図２】
2017227357.tif 000004
【図３】
2017227357.tif 000005
【図４】
2017227357.tif 000006
【図５】
2017227357.tif 000007
【図６】
2017227357.tif 000008
【図７】
2017227357.tif 000009